(57)【要約】【課題】吊り手の付いた魚釣用オモリの材質を、鉛から鋳鉄製あるいは鉄や真鍮などの金属に変える釣用オモリの提供。【解決の手段】オモリ本体９の頭部２に設けられた穴１に、金属線材製の吊り手３をインサートし、この穴１に合成樹脂、又は錫などの溶融金属を流し込んで硬化させ固定する。【選拓図】図２【特許請求の範囲】
【請求項１】
オモリ本体の材質を鋳鉄で鋳造したり、鉄や真鍮などの金属を削りだして作り、なおかつ、このオモリ本体の頭部に穴を設けた構造にし、魚釣仕掛と連結させるための金属線材製の吊り手をインサートし、この穴に合成樹脂や溶融金属を流し込んで硬化させ、吊り手を固定することを特徴とする釣用オモリ。
【請求項２】
請求項１に記載した釣用オモリにおいて、吊り手をインサートし、固定するための穴の面積が、穴上部よりも穴中間部や穴底部のほうが大きいことを、特徴とする釣用オモリ。
【請求項３】
請求項１、又は請求項２に記載した釣用オモリにおいて、吊り手をインサートし、固定するための穴の壁面が凹凸に成っていることを特徴とする釣用オモリ。
【発明の詳細な説明】
【技術分野】
【０００１】本発明は、釣用オモリに関するものである。
【背景技術】
【０００２】従来、魚釣り用の仕掛と連結して、水中に沈めたり、あるいは、遠方へ飛ばして沈めたりする、いわゆる環付オモリと呼ばれる、吊り手の付いた釣用オモリの製造法には、金属線材製の吊り手を鋳型にインサートし、鉛を鋳込んで作った物や、鋳鉄で鋳造時に鋳型に釣用オモリ本体と一体の吊り手を成型した物や、鋳鉄で鋳造時に鋳型に鉄製の吊り手をインサートして置き、そこに鋳鉄を流し込んで作る方法や、あるいは、鋳鉄を鋳型に流し込んだ後、鋳鉄が冷えて固まる前に、吊り手を差し込んで冷やして固定する方法などがあり、その他、金属類の鋳込み方法にロストワックス製法などがあった。
【発明の開示】
【発明が解決しようとする課題】
【０００３】従来、魚釣用のオモリに使用されている材質には、鉛や鋳鉄、あるいは鉄筋棒等があり、大別して、鋳鉄や鉄筋棒は安価であるため、重い重量を必要とする漁業用として多く使用され、鉛は鋳鉄や鉄筋棒に比べると多少高価ではあるが鉛の比重は鉄の比重７．８５ｇと比べると、１１．３６ｇと大きいため、鉄と同等の重量では体積が小さくなり、魚釣用の仕掛を水中へ投下する時に、水の抵抗や潮流の影響も小さくなり、又、投げ釣等では空中を飛んでいる時の空気抵抗も小さくなるため，遊漁用のオモリとして多く用いられて来た。【０００４】しかし、近年、鉛による環境汚染の拡大が問題になり、特に、遊漁者が比較的多く鉛のオモリを使用する、沿岸域や、湖沼等ではその使用を危ぶむ声も大きくなって来ている、そのため、一部では鉛のオモリに塗料や合成樹脂でコーティングしたりして、少しでも環境に与える影響を軽減しようとしているが、鉛を使用している事にはかわりなく、又、一部ではあるが遊漁者向けの鋳鉄製のオモリも作られてはいるが、釣用オモリと魚釣用の仕掛を連結するための環と呼ばれている吊り手を鋳型に作らねばならず、鋳造時の鋳鉄の流れ具合や強度を考慮すると、肉太の大きな造りの吊り手に成ってしまい、魚釣用の仕掛との連結もしにくく、安価ではあるが、はなはだ不便であった。【０００５】一方、あらかじめ作っておいた鉄製の吊り手を、鋳型にインサートしてそこに鋳鉄を鋳込む方法もあるが、鋳鉄の融点が約１５００度もの高温であるため、鉄製の吊り手の一部が溶けて細くなったり、熱による吊り手材質に変化が生じ、柔らかく曲がりやすく成ったり、折れやすく成ったりして、不良も多く発生し従来の鉛製の釣用オモリよりも高価なものになってしまった。【０００６】また、鋳型に鋳鉄を流し込んで置いて、鋳鉄が固まる前に吊り手を差し込んで冷やして固定する方法でも、その日の天候、差し込むタイミングや吊り手の位置決め等の条件が難しく、不良も多く発生し生産性も低かった。【０００７】ましてや、鋳鉄で釣用オモリ１０号と呼ばれている重量が３７．５ｇ以下の吊り手のついた軽量釣用オモリを作ることは、鋳鉄の容積が小さいため、鋳込み型での吊り手も作りにくく、高温用に耐えられるよう、鉄製で作った吊り手はオモリ本体とのバランスも悪く、機能面からも不向きであった。また、価格面を無視すればロストワックス製法などで作る事は可能であるが、消耗品である釣用オモリにおいては、高価で不向きであった。【０００８】本発明は、鉛製で出来ていた釣用オモリの材質を、鋳鉄や鉄、あるいは環境に対する影響の少ない金属類などへの移行をめざし、製造時における諸問題を解決し、環境にやさしい釣用オモリを提供することを目的としたものである。
【課題を解決するための手段】
【０００９】この目的を解決するために、請求項１に記載した釣用オモリは、オモリ本体を鋳鉄で鋳造したり、鉄や真鍮などの金属を削りだした材質で作り、なおかつ、このオモリ本体の頭部に穴を設けた構造にし、魚釣用の仕掛と連結させるための金属線材製の吊り手をインサートし、この穴に合成樹脂や溶融金属を流し込んで硬化させ、吊り手を固定する事を特徴とする釣用オモリである。なお、オモリの形状や穴の形状は自由であり、吊り手の形状は魚釣用仕掛と連結でき、なおかつ、この魚釣用仕掛が自然にはずれない形状であれば自由である。【００１０】請求項２に記載した釣用オモリは、請求項１に記載した釣用オモリにおいて、吊り手をインサートしこれを固定するための穴の面積が、穴上部よりも、穴中間部や穴底部の方が大きいことを特徴としているものである。【００１１】請求項３に記載した釣用オモリは、請求項１，２に記載した釣用オモリにおいて吊り手をインサートし、これを固定する穴の壁面が、凹凸に成っていることを特徴とするものである。
【発明の効果】
【００１２】以上のように、本発明の吊り手の付いた釣用オモリは、吊り手をオモリ頭部に、あとから取り付けるため、鋳鉄の鋳造時における高熱の影響をまったく受けず、従来の鉛製釣用オモリに使用されていた真鍮製の細い金属線材などを吊り手として利用できるため、鋳鉄製の吊り手の付いた釣用オモリも容易に製造できる。【００１３】また、鋳鉄製ではその製造がはなはだ困難であった吊り手の付いた、１０号（３７．５ｇ）以下の釣用オモリも、容易に製造でき、重量が１ｋｇをこえるような重い物でも、穴上部の面積よりも、穴中層部や穴底部の面積の方を大きくする、いわゆる錘台形の穴を設ける事により、吊り手と、これをオモリ本体と固定している合成樹脂や溶融金属の硬化させたものが穴から抜け落ちにくくなり、漁業での使用にも耐えられ、なおかつ、穴の壁面に凹凸を設ける事によりより一層この抜け落ち防止を高める事が出来る。【００１４】オモリ本体を鉄や真鍮などの金属を削りだして作る、吊り手の付いた釣用オモリにおいても、鋳鉄製に比べると多少割高には成るが同様の効果がえられ、鋳鉄の鋳造設備の無い所でも、鉛を使用しない、より安全な吊り手に付いた釣用オモリが提供できる。
【発明を実施するための最良の形態】
【００１５】以下、図２〜図５によって本発明の実施形態を説明する。
図２に示すように、オモリ本体９の頭部２に設けられた穴１に、金属線材製の両端を曲げた、いわゆる抜け落ち防止加工をほどこした吊り手３をインサートして、この穴１に合成樹脂や比較的環境に与える影響の少ない、錫などの溶融金属を流し込み、硬化させ吊り手３をオモリ本体９に固定する。【００１６】また、図３に示すように、オモリ本体９の頭部２に設けられた穴の面積が、穴上部４よりも穴中間部５や穴底部６の方が大きくなる形状の錘台形穴７に、吊り手３をインサートし、この錘台形穴７に合成樹脂や比較的環境に与える影響の少ない、錫などの溶融金属を流し込み、硬化させ吊り手３をオモリ本体９に固定する。【００１７】図４、図５は図２、図３に示した穴１や錘台形穴７の壁面８に、凹凸１０を設けることによって、穴１や錘台形穴７の表面積が増し、吊り手３とこれをオモリ本体９に固定している合成樹脂や溶融金属が硬化し固まった物が穴１や錘台穴７からより一層抜け落ち難くなる。
【実施例】なお、穴１や錘台形穴７の壁面８に凹凸１０を設ける方法としてネジ溝１１もよく、ゴルフボールの表面のようにディンプル呼ばれている、くぼみ１２を設けても同様の効果がえられる。
【図面の簡単な説明】
【図１】本発明の斜視図
【図２】本発明の断面図
【図３】本発明の錘台形穴の断面図
【図４】本発明の穴の壁面に凹凸を設けた断面図
【図５】本発明の穴の壁面に凹凸を設けた断面図
【図６】本発明の穴の壁面にネジ溝を設けた断面図
【図７】本発明の穴の壁面にくぼみを設けた断面図
【符号の説明】
１は  穴
２は  頭部
３は  吊り手
４は  穴上部
５は  穴中間部
６は  穴底部
７は  錘台形穴
８は  壁面
９は  オモリ本体
１０は  凹凸
１１は  ネジ溝
１２は  くぼみ
【図１】
2007135556.tif 000002
【図２】
2007135556.tif 000003
【図３】
2007135556.tif 000004
【図４】
2007135556.tif 000005
【図５】
2007135556.tif 000006
【図６】
2007135556.tif 000007
【図７】
2007135556.tif 000008